(57)【要約】      （修正有） 【課題】目的魚と同じような大きさの混獲物を、袋網の上流のフィルター網で捕獲することができる船曳網を提供する。【解決手段】船曳網１０は、開口側の袖網２０、漁獲対象の目的魚を入れる袋網３０のほか、目的魚を通すフィルター網５０を備える。フィルター網は、目的魚が通り抜けるような目の大きな網構成をもつ部分５２０と、目的魚が通り抜けないような目の小さな網構成をもつ部分５１０とを備える。目の大きな網構成をもつ部分は、水面に面する上部分であり、遊泳力があり水面に向かうという行動特性を示す目的魚の動きを考慮して選定した部分である。二つの網構成をもつフィルター網により、目的魚を袋網の内空間４０に優先的に溜めることができる。【選択図】図１
0003233870.tif 000002
【実用新案登録請求の範囲】
【請求項１】
開口した第１端、および閉じた第２端を含む漁網であり、前記第１端の側には、船に連結される袖網があり、前記第２端の側には、漁獲対象とする目的魚を入れる袋網があり、しかも、前記袖網から前記袋網に至る途中に、前記目的魚を通すフィルター網を配置する船曳網において、
前記フィルター網は、水面に面する上部分が、前記目的魚が通り抜けるような目の大きな網構成であり、前記上部分を除く残りの部分が、前記目的魚が通り抜けないような目の小さな網構成であり、それにより、そのフィルター網によって、前記目的魚と同程度の大きさの小エビ、他魚種の稚魚、細かいゴミなどの混獲物を捕獲することを特徴とする、フィルター網を含む船曳網。
【請求項２】
前記目的魚は、水流に逆らいながら泳ぎ、しかもまた、水面に向かって泳ぐだけの遊泳力をもつのに対し、前記小エビ、他魚種の稚魚、細かいゴミなどの混獲物は、前記目的魚がもつ前記遊泳力をもたないことを活用し、それにより、前記袋網に、前記混獲物の捕獲を低減しつつ、前記目的魚を漁獲する、請求項１の船曳網。
【請求項３】
前記フィルター網は、前記船曳網の内周に取り付けるための取付け部と、その取付け部を一方の端部とし、前記２端の方向に伸びる筒状部と、その筒状部から前記第２端の方向にさらに伸びる奥部とを備え、前記水面に面する上部分は、前記取付け部から前記筒状部と奥部との境界に至る間に位置しており、しかもまた前記奥部は、前記第２端の方向に向けて径の大きさが変化し、その奥部の内部に対流を生じるようになっている、請求項１の船曳網。
【請求項４】
前記筒状部と奥部との境界の付近に、前記奥部に入った混獲物が、前記筒状部の側に逆流することを防ぐ返し網がある、請求項３の船曳網。
【請求項５】
前記目的魚は、シラスあるいはイカナゴのいずれか一つである、請求項１の船曳網。
【請求項６】
請求項１の船曳網に用いるフィルター網であって、そのフィルター網は、水面に面する上部分が、前記目的魚が通り抜けるような目の大きな網構成であり、前記上部分を除く残りの部分が、前記目的魚が通り抜けないような目の小さな網構成であり、それにより、そのフィルター網によって、前記目的魚と同程度の大きさの小エビ、他魚種の稚魚、細かいゴミなどの混獲物を捕獲する、フィルター網。
【考案の詳細な説明】
【技術分野】
【０００１】
この考案は、開口した第１端の側に袖網、閉じた第２端の側に、漁獲対象の目的魚を入れる袋網、袖網から袋網に至る途中に、目的魚を通すフィルター網をそれぞれ配置する、船曳網の技術に関し、特には、フィルター網による選択あるいは分別の特性を向上させた技術に関する。
【背景技術】
【０００２】
この種の船曳網において、網の途中に位置するフィルター網は、目的魚を選択的に通す役割を果たす。しかし、フィルター網を通るものには、目的魚だけではなく、目的魚と同程度の大きさの小エビ、他魚種の稚魚、細かいゴミなどが含まれる。それらは、目的魚を入れる袋網の中に、目的魚とともに、漁獲対象ではない混獲物として捕獲される。そのような混獲物について、一般的には、水揚げ後に手作業などにより選別し分離していた。
【０００３】
混獲物の選別分離作業は手間がかかるため、混獲物と目的魚とを漁獲時点で分離するという考え方がある。たとえば、特許文献１は、袋網の部分を上部の逃がし通路と、下部の本来の袋網との上下二段構成とした上、下部の袋網の入口に、フィルター網の網目よりも小さいが袋網の網目よりも大きな入口分別網を配置した技術を示す。その技術では、フィルター網の下流に、フィルター網を通った魚類を袋網の入口側に誘導する誘導網を設け、入口分別網を通る魚類を袋網の内部に入れる一方、入口分別網を通らない魚類を逃がし通路を通して海中に逃がすようにしている。
【０００４】
また、別の特許文献２は、漁獲対象の目的魚と漁獲対象ではない混獲物とを曳網中に分別可能なコッド網の技術を示す。このコッド網は底曳網を構成するもので、上コッド網と下コッド網との上下二層の袋網を備える。しかも、それら二層の袋網の網口近くに、一方の袋網から他方の袋網へと目的魚を通過させる開口部を設けている。それにより、下層の袋網に混獲物を入れ、上層の袋網に目的魚を入れるようにしている。
【先行技術文献】
【特許文献】
【０００５】
【特許文献１】特開２００５−１１０６３３号公報
【特許文献２】特許第３８７５２０５号公報
【考案の概要】
【考案が解決しようとする課題】
【０００６】
考案者は、目的魚と混獲物とを漁獲時点で分離する考え方に着目した。その点、上に述べた特許文献１および２においては、いずれも目的魚を入れる袋網の部分に工夫および改良を加えている。そのため、袋網の部分の構成が複雑となり、袋網の取扱いに制約が生まれる。そこで、考案者は、水中での目的魚や混獲物の動きを水中カメラにより繰り返し観察することにより、それら袋網の部分の改良とは別の新たな網技術の開発を進めた。その結果、シラスを代表とした小型の目的魚が、網の中で特徴的な動きあるいは行動をすることに気付いた。
【０００７】
その気付きあるいは発見とは、目的魚であるシラスが、泳ぎながら頭から網目を潜り抜けるような動きをすること、そしてまた、シラスのような目的魚は、水流に逆らいながら泳ぎ、水面に向かって泳ぐだけの遊泳力をもつこと、それに対し、同じような大きさの小エビや他魚種の稚魚、さらに細かいゴミなどの混獲物は、目的魚がもつような遊泳力をもたないこと、である。
【０００８】
そこで、この考案では、そのような気付きあるいは発見に基づき、目的魚と同じような大きさの混獲物を、袋網の上流のフィルター網で捕獲することができる技術を提供することを目的とする。この考案のさらなる目的については、今後の説明から明らかになるであろう。
【課題を解決するための手段】
【０００９】
この考案の船曳網の技術では、フィルター網に工夫を凝らしている。そのフィルター網は、水面に面する上部分が、目的魚が通り抜けるような目の大きな網構成であり、その上部分を除く残りの部分が、目的魚が通り抜けないような目の小さな網構成である。そこで、遊泳力のある目的魚は、その行動特性から、フィルター網の網目の大きな上部分を通り抜け、下流の袋網の方に向かう。それに対し、目的魚と一緒にフィルター網に入る混獲物、すなわち、目的魚と同程度の大きさの小エビ、他魚種の稚魚、細かいゴミなどの混獲物は、目的魚のような行動特性および遊泳力をもたないことから、フィルター網の中に捕獲される。したがって、そのような混獲物が、フィルター網を通り抜けて下流の袋網に向かうことを低減することができる。
【００１０】
網目の異なる網構成を得る手法として、選択的に網目を異ならせる方法のほか、全体に一様な既存のフィルター網に対し、水面に面する上部分を除く残りの部分に、網目の小さな網を重ね合わせる方法を利用することもできる。後者の方法によれば、既存の網を利用することができるという利点がある。
【００１１】
好適なフィルター網は、船曳網の内周に取り付けるための取付け部と、その取付け部を一方の端部とし、袋網がある方向に伸びる筒状部と、その筒状部から袋網のある方向にさらに伸びる奥部とを備える。そして、水面に面する、網目の大きな上部分は、取付け部に始まり、筒状部と奥部との境界に至る間に位置する。一部の目的魚は、奥部に入り込むこともあるので、奥部には、適度な対流が生じるような構成にすることにより、そのような目的魚を、網目の大きな上部分に近づかせるチャンスを増すようにすると良い。そのような対流を生じさせる良い手は、袋網がある方向に向けて奥部の径の大きさを変化させることである。
【００１２】
また、奥部の中の対流は、奥部の径の大きさの変化度合いなどにより、適度な大きさにすることができる。遊泳力の小さな小エビ等の混獲物は、対流速度よりも曳網速度が速いため、フィルター網の奥部に止まる。小エビ等の混獲物をより確実に奥部に止まらせるため、筒状部と奥部との境界の付近に、返し網を設けることもできる。
【００１３】
小型の魚種のすべてがシラスのような行動特性を示すものではないが、この考案は、シラスだけでなく、同様の行動特性を示すイカナゴなど、シラスと似た行動特性を示す小型魚の漁獲に対して適用することができる。
【図面の簡単な説明】
【００１４】
【図１】この考案のフィルター網を含む船曳網の一実施形態を説明するための模式的な図である。
【図２】図１のものとは別のフィルター網を示す部分図である。
【考案を実施するための形態】
【００１５】
図１は、この考案を適用した船曳網の一実施形態であり、水中の網を横方向から見た図を示している。船曳網は、開口した第１端および閉じた第２端を含む漁網である。その船曳網は、第１端の側の袖網、第２端の側の袋網のほか、袖網から袋網に至る途中のフィルター網がある。図１には、船曳網１０のうち、袖網２０の終端に続く袋網３０および網途中のフィルター網５０を中心に示す。
【００１６】
船曳網１０の網目は、水圧を避けるため、開口した第１端の側で粗く、閉じた第２端に向かうにつれて細かくなっている。第１端を終端とする袋網３０の網目は細かく、第１端近くの内空間４０に、目的魚であるシラスが溜まるようになっている。内空間４０に溜まったシラスは、第１端に設けたファスナーを開閉することにより、水揚げ後に網から取り出すことができる。
【００１７】
問題のフィルター網５０は、袖網２０の終端、つまりその終端に続く袋網３０の始端近くの網内周に、ファスナー６０によって着脱可能に取り付けられている。ファスナー６０に沿う、フィルター網５０の開口は、四角あるいは四角に近いリング形状である。そのリング形状は、袖網２０あるいは袋網３０の内周形状に合致することは勿論である。
【００１８】
今までの一般的なフィルター網は、網目が全体的に一様であり、リング形状に開口する取付け部から下流に行くにつれて開口面積を狭め、下流側の端部を、開閉用のファスナーで閉じている。すなわち、今までのフィルター網は、網全体にわたって、シラスなどの目的魚を通すことができる網目をもつことが前提となっていた。それに対し、この考案によるフィルター網５０は、二つの点に大きな特徴がある。
【００１９】
その第１の特徴は、フィルター網５０が、目的魚が通り抜けるような目の大きな網構成をもつ部分５２０と、目的魚が通り抜けないような目の小さな網構成をもつ部分５１０とを備えることである。しかも、前者の目の大きな網構成をもつ部分５２０は、水面に面する上部分である。その上部分は、遊泳力があり水面に向かうという行動特性を示す目的魚の動きを考慮して選定した部分である。
【００２０】
フィルター網５０の第２の特徴は、フィルター網５０が目的魚と同程度の大きさの小エビ、他魚種の稚魚、細かいゴミなどの混獲物を捕獲する機能をもつことである。そのため、フィルター網５０は、そのような混獲物をフィルター網５０の内部に止めておくことができるような構成である。好ましいフィルター網５０は、リング形状に開口する取付け部のファスナー６０から下流に伸びる筒状部５３と、その筒状部５３からさらに下流に伸びる奥部５５とを備える。
【００２１】
筒状部５３は、今までの網の形と似た筒型で、下流に行くにつれて開口面積が狭まっている。奥部５５に繋がる筒状部５３の下流側の端部５３ｅの開口面積は、取付け部のファスナー６０の部分におけるそれの数分の一程度である。その開口面積の小さい部分は、筒状部５３と奥部５５との境界になる。
【００２２】
奥部５５に目を向けると、奥部５５は、その境界部分の開口面積が一番小さく、その下流側の開口面積は広がっている。奥部５５は、上に述べたような混獲物を止めておく部分であるが、その中に目的魚の一部が入り込むことがある。そのため、奥部５５は、上下の流れの方向に向けて径の大きさが変化し、その内部に水の対流ｆを生じるようになっている。その対流ｆにより、奥部５５内に入った目的魚を上部分５２０に案内することを狙う。
【００２３】
奥部５５内に狙いとする対流ｆを生じるようにするため、図１の例では、奥部５５の径の大きさが変わる部分を前部５５１と後部５５２の二か所に設けている。しかし、奥部の形状については、程度な大量を生じること、混獲物を止まらせておくことを考慮しつつ、いろいろ変えることができる。図２に示す奥部５５‘は、流れの方向の全体にわたって、径の大きさを徐々に大きくした、つまり、径の大きさが変わる部分を一か所にした例である。
【００２４】
また、奥部５５の中に止まる混獲物が、対流ｆによって、筒状部５３に逆流することを有効に防ぐため、筒状部５３と奥部５５との境界領域における網の上部内周に返し網７０を設けることもできる。
【００２５】
以上のようなフィルター網５０を含む船曳網によれば、目的魚と大きさの似た混獲物をフィルター網５０の部分に止めることができ、しかも、目的魚（たとえば、シラス）については、目的魚の動きの特性から、網の上部分５２０を通して、袋網３０の下流側の内空間４０に優先的に溜めることができる。
【符号の説明】
【００２６】
１０  船曳網
２０  袖網
３０  袋網
４０  内空間
５０  フィルター網
５１０  小さな網構成の部分
５２０  大きな網構成の部分（上部分）
５３  筒状部
５５，５５’  奥部
【図１】
0003233870.tif 000003
【図２】
0003233870.tif 000004
【手続補正書】
【提出日】令和3年7月4日(2021.7.4)
【手続補正１】
【補正対象書類名】明細書
【補正対象項目名】００２３
【補正方法】変更
【補正の内容】
【００２３】
奥部５５内に狙いとする対流ｆを生じるようにするため、図１の例では、奥部５５の径の大きさが変わる部分を前部５５１と後部５５２の二か所に設けている。しかし、奥部の形状については、適度な対流を生じること、混獲物を止まらせておくことを考慮しつつ、いろいろ変えることができる。図２に示す奥部５５‘は、流れの方向の全体にわたって、径の大きさを徐々に大きくした、つまり、径の大きさが変わる部分を一か所にした例である。